(57)【要約】【課題】  上下方向の寸法が小さい、小型でコンパクトな遊技台用台間機のロック機構を提案すること。【解決手段】  台間機１３のロック機構２０は上下方向にスライド自在に取り付けたロック部材３２と、ピン３９を中心として左右方向に旋回自在に取り付けたロック解除保持部材３３と、ロック部材３２とロック解除保持部材３３の間に架け渡したコイルばね３４を備えている。ロック部材３２が台間機本体１５の係合穴４１に係合してロック状態が形成され、ロック部材３２をロック解除位置３２Ｂに向けて引き上げてロック状態を解除すると、ロック解除保持部材３３がばね力によりロック部材３２の下側に横から入り込み、ロック部材３２がロック解除位置３２Ｂに保持される。ロック部材３２のスライド範囲内にロック機構２０の構成部品を配置できるので上下方向の寸法の小さなロック機構を構成できる。【選択図】  図４
2005110958.tif 000002
【特許請求の範囲】
【請求項１】
台間機ホルダと、
前記台間機ホルダに対して抜き差し自在に装着されている台間機本体と、
前記台間機本体を前記台間機ホルダに装着された状態にロックするためのロック機構とを有し、
前記ロック機構は、
台間機上下方向に沿って前記台間機本体に係合したロック位置および当該ロック位置から退避したロック解除位置にスライド可能な状態で前記台間機ホルダに取り付けられているロック部材と、
台間機左右方向に沿って前記ロック部材を前記ロック解除位置に保持する保持位置および当該保持位置から退避した退避位置に移動可能な状態で、前記台間機ホルダにおける前記ロック部材のスライド範囲内の位置に取り付けられているロック解除保持部材と、
前記ロック部材と前記ロック解除保持部材の間に架け渡され、前記ロック部材を前記ロック位置に付勢し、前記ロック解除保持部材を前記保持位置に付勢しているばね部材と、
前記ロック部材に形成されたロック部材側当接部と、前記台間機ホルダに前記台間機本体を差し込むときに、前記ロック部材側当接部に当接して前記ロック部材を一旦前記ロック解除位置の側にスライド可能な前記台間機本体に形成した第１の台間機本体側当接部と、
前記ロック解除保持部材に形成された保持部材側当接部と、前記台間機ホルダに前記台間機本体を抜き差しするときに、前記保持部材側当接部に当接して前記ロック解除保持部材を前記退避位置の側に移動可能な前記台間機本体に形成した第２の台間機本体側当接部とを備えている遊技台用台間機。
【請求項２】
請求項１において、
前記ロック解除保持部材は、前記ロック部材における前記ロック位置の側の端部の隣接位置において、台間機左右方向に旋回可能な状態で前記台間機ホルダに取り付けられており、
前記ばね部材は、前記ロック部材における前記ロック解除位置の側の部位と、前記ロック解除保持部材における旋回中心の後側の部位との間に架け渡されており、
前記ロック部材が前記ロック解除位置にスライドすると、当該ロック部材の前記端部が、前記保持位置に旋回した前記ロック解除保持部材の後端部に乗り上げて、前記ロック解除位置に保持される遊技台用台間機。
【請求項３】
請求項２において、
前記ロック部材、前記ロック解除保持部材および前記ばね部材を保護するためのカバー部材を有し、
前記カバー部材は前記台間機ホルダに取り付けられており、
当該前記カバー部材に、前記ロック部材がスライド可能に取り付けられていると共に前記ロック解除保持部材が移動可能に取り付けられている遊技台用台間機。
【請求項４】
請求項１ないし３のうちのいずれかの項において、
前記ロック部材には、当該ロック部材を前記ばね力に逆らって前記ロック解除位置にスライドさせるために用いる手動操作部が形成されている遊技台用台間機。
【請求項５】
請求項１ないし４のうちのいずれかの項において、
前記ロック部材を前記ばね部材のばね力に逆らって前記ロック解除位置にスライド操作可能なロック解除操作ワイヤを有している遊技台用台間機。
【発明の詳細な説明】
【技術分野】
【０００１】
本発明は、遊技台ホルダに抜き差し自在に遊技台本体が装着された構成の遊技台用台間機に関し、さらに詳しくは、遊技台本体を遊技台ホルダにロックするためのロック機構の改良に関するものである。
【背景技術】
【０００２】
パチンコ店などの遊技店では、遊技者が遊技台を離れることなく遊技媒体の貸し出しを受けられるように、遊技媒体の貸し出しを行う遊技台用台間機が各遊技台に隣接配置されている。遊技台用台間機は遊技島に固定された台間機ホルダに台間機本体を抜き差し自在に装着した構成のものが一般的であり、台間機本体を手前に引き出すことにより、メンテナンスなどの作業が簡単にできるようになっている。この構成の遊技台用台間機では、必要時以外に台間機本体が台間機ホルダから引き抜かれることの無い様に、台間機本体を台間機ホルダにロックしているロック機構が備わっている。
【０００３】
ロック機構としては下記の特許文献１に記載されているように、台間機本体を台間機ホルダに差し込むとロック状態が自動的に形成され、ロック解除操作を、操作し易い位置まで引き出されているロック解除操作ワイヤを引くことにより簡単に行うことができ、一旦ロック解除操作ワイヤを引けばロック解除状態が保持され、台間機本体の引き抜きが簡単にできる機構のものが提案されている。
【特許文献１】特開２００３−１０５２９号公報
【発明の開示】
【発明が解決しようとする課題】
【０００４】
上記特許文献１に開示されているロック機構では、その構成部品であるロック部材が上下方向にスライド可能な状態で台間機ホルダの背面に取り付けられ、このロック部材の下端部にロック解除保持部材が前後方向に回動自在に取り付けられ、このロック解除保持部材の下端と、これよりも下側の台間機ホルダの背面部分との間にばねが上下方向に架け渡された構成とされている。従って、ロック機構は上下方向の寸法が大きくなってしまう。
【０００５】
本発明の課題は、この点に鑑みて、台間機上下方向の寸法を小さくすることのできる小型でコンパクトなロック機構を備えた遊技台用台間機を提案することにある。
【課題を解決するための手段】
【０００６】
本発明の遊技台用台間機は、
台間機ホルダと、
前記台間機ホルダに対して抜き差し自在に装着されている台間機本体と、
前記台間機本体を前記台間機本体に装着された状態にロックするためのロック機構とを有し、
前記ロック機構は、
台間機上下方向に沿って前記台間機本体に係合したロック位置および当該ロック位置から退避したロック解除位置にスライド可能な状態で前記台間機ホルダに取り付けられているロック部材と、
台間機左右方向に沿って前記ロック部材を前記ロック解除位置に保持する保持位置および当該保持位置から退避した退避位置に移動可能な状態で、前記台間機ホルダにおける前記ロック部材のスライド範囲内の位置に取り付けられており、前記ロック部材が前記ロック解除位置に至ると前記保持位置に移動可能なロック解除保持部材と、
前記ロック部材と前記ロック解除保持部材の間に架け渡され、前記ロック部材を前記ロック位置に付勢し、前記ロック解除保持部材を前記保持位置に付勢しているばね部材と、
前記ロック部材に形成されたロック部材側当接部と、前記台間機ホルダに前記台間機本体を差し込むときに、前記ロック部材側当接部に当接して前記ロック部材を一旦前記ロック解除位置の側にスライド可能な前記台間機本体に形成した第１の台間機本体側当接部と、
前記ロック解除保持部材に形成された保持部材側当接部と、前記台間機ホルダに前記台間機本体を抜き差しするときに、前記保持部材側当接部に当接して前記ロック解除保持部材を前記退避位置の側に移動可能な前記台間機本体に形成した第２の台間機本体側当接部とを備えていることを特徴としている。
【０００７】
本発明のロック機構では、台間機ホルダに台間機本体を差し込むと、その差込動作に連動して、台間機本体の第１の台間機本体側当接部がロック部材側当接部に当たり、ロック部材を一旦ロック解除位置に退避させる。よって、ロック部材に邪魔されることなく台間機本体を台間機ホルダに差し込むことができ、完全に差し込まれるとロック部材がばね部材のばね力によってロック位置に戻り、ロック状態が自動的に形成される。
【０００８】
ロックを解除して台間機本体を引き出す場合には、ロック部材を手動操作によりロック解除位置までスライドさせる。ロック部材がロック解除位置までスライドすると、ロック解除保持部材がばね部材のばね力によって保持位置に移動して、ロック部材をロック解除位置に保持する。よって、ロック部材がばね力によりロック位置に戻ることがないので、台間機本体を引き抜く際に、手動操作によりロック部材をロック解除位置に保持する必要がない。台間機本体を引き抜くときにはその第２の台間機本体側当接部がロック解除保持部材の保持部材側当接部に当たりロック解除保持部材を退避位置の側に移動させる。よって、ロック解除保持部材によるロック解除保持状態が解除され、ロック部材はばね力によってロック位置にスライドする。
【０００９】
再び、台間機本体を差し込むときには、ロック位置にあるロック部材が台間機本体により押されてロック解除位置にスライドするが、ロック解除保持部材も台間機本体に押されてその退避位置に移動するので、ロック部材がロック解除位置に保持され、ロックが掛からなくなる事態を回避できる。
【００１０】
本発明では、ロック部材を上下方向にスライド可能に取り付け、そのスライド範囲内の位置にロック解除保持部材を左右方向に移動可能に取り付け、これらロック部材とロック解除保持部材の間にばね部材を架け渡してある。従って、ロック機構の上下方向の寸法を、ロック部材のスライド範囲の寸法とすることができるので、上下方向の寸法が小さい小型でコンパクトなロック機構を構成できる。
【００１１】
ここで、前記ロック解除保持部材を、前記ロック部材における前記ロック位置の側の端部の隣接位置において、台間機左右方向に旋回可能な状態で前記台間機ホルダに取り付けた場合には、前記ばね部材を、前記ロック部材における前記ロック解除位置の側の部位と、前記ロック解除保持部材における旋回中心の後側の部位との間に架け渡せばよい。この配置関係を採用すれば、前記ロック部材が前記ロック解除位置にスライドすると、当該ロック部材の前記端部が、前記保持位置に旋回した前記ロック解除保持部材の後端部に乗り上げて、前記ロック解除位置に保持される。よって、ロック部材とロック解除保持部材の間に、これらの係合状態を形成するための特殊な係合部を形成する必要がないので、これらの部品を単純な形状とすることができる。
【００１２】
また、前記ロック部材、前記ロック解除保持部材および前記ばね部材を保護するためのカバー部材を有していることが望ましい。この場合には、前記カバー部材を前記台間機ホルダに取り付け、当該前記カバー部材に、前記ロック部材をスライド可能に取り付けると共に前記ロック解除保持部材を移動可能に取り付ければよい。
【００１３】
さらに、ロック部材をロック解除位置にスライドさせる操作を簡単に行うためには、前記ロック部材に、当該ロック部材を前記ばね力に逆らって前記ロック解除位置にスライドさせるために用いる手動操作部を形成しておけばよい。この代わりに、前記ロック部材を前記ばね部材のばね力に逆らって前記ロック解除位置にスライド操作可能なロック解除操作ワイヤを配置してもよい。
【発明の効果】
【００１４】
以上説明したように、本発明の遊技台用台間機のロック機構は、上下方向にスライド可能なロック部材のスライド範囲内の位置に左右方向に移動可能なロック解除保持部材を配置し、これらロック部材とロック解除保持部材の間にばね部材を架け渡した構成を採用している。従って、ロック機構の構成部品をロック部材のスライド範囲内の領域に配置することができるので、上下方向の寸法が短い小型でコンパクトなロック機構を実現できる。
【発明を実施するための最良の形態】
【００１５】
以下に、図面を参照して、本発明を適用したロック機構を備えた遊技台用台間機を説明する。
【００１６】
（全体構成）
図１は、遊技店、例えばパチンコ店に設置されたパチンコ島の一部を示す部分正面図である。この図に示されるように、パチンコ島１０には、所定間隔で複数のパチンコ台１１が配列されている。各パチンコ台１１は、パチンコ島１０に対して開閉自在に取り付けられており、パチンコ台１１を所定の操作で開くことにより、パチンコ台１１のメンテナンスや、パチンコ島１０の内部下方に配置されているパチンコ玉排出流路のメンテナンスが可能である。また、パチンコ台１１の上方には、開閉自在な扉１２が設けられており、この扉１２を所定の操作で開けることにより、パチンコ島１０の内部上部に配置されているパチンコ玉供給流路のメンテナンスが可能になる。
【００１７】
パチンコ台１１の間には、それぞれ台間機１３が配置されている。台間機１３は、右側に隣接するパチンコ台１１に対して玉貸処理を行うためのものであり、現金やプリペイドカードの投入に応じて玉貸しを行う。台間機１３の玉貸し方式には、パチンコ玉を台間機１３から直接に貸し出す方式と、台間機１３から出力される玉貸し指令に応じてパチンコ台１１からパチンコ玉を貸し出す方式とがある。台間機１３は、図２に示すように、パチンコ島１０に取り付けられている台間機ホルダと、この台間機ホルダに対して前方から抜き差し自在の状態で装着されている台間機本体から構成されている。
【００１８】
図２は台間機１３の側面図および裏面図であり、台間機ホルダに台間機本体を差し込む途中の状態を示してある。これらの図に示されるように、台間機１３は、パチンコ台１１の間に固定配置されている台間機ホルダ１４と、この台間機ホルダ１４に対して前後方向に抜き差し自在の状態で装着されている台間機本体１５とを備えている。台間機本体１５は、上下に細長い扁平な直方体形状のケース１６に、ビルバリ、通信機器等を組み込み、予めユニット化されたものである。台間機ホルダ１４は、上下方向に延びる縦枠１７と、縦枠１７の上下の端から前方に水平に延びている上側ガイド枠１８および下側ガイド枠１９とを備えており、これら上下のガイド枠１８、１９によって台間機本体１５の抜き差しがガイドされる。台間機ホルダ１４と台間機本体１５の間にはロック機構２０が設けられている。台間機本体１５が台間機ホルダ１４に差し込まれると、ロック機構２０によって、台間機ホルダ１４に台間機本体１５が自動的に係合して当該台間機本体１５が差込状態にロックされる。
【００１９】
（ロック機構）
図３はロック機構２０を示す部分斜視図であり、図４（ａ）〜（ｃ）はロック機構の縦断面図、横断面図および矢印ｃの方向から見た場合の矢視図である。ロック機構２０は、台間機ホルダ１４の縦枠１７の背面板部分１７ａに設けられたホルダ側機構３０と、台間機本体１５のケース１６の背面板部分１６ａに形成した本体側機構４０から構成される。ホルダ側機構３０は、背面板部分１７ａに形成した上下に長い長方形の開口部１７ｂと、背面板部分１７ａの背面側からねじ止めされたカバーボックス３１と、このカバーボックス３１に取り付けたロック部材３２と、同じくカバーボックス３１に取り付けたロック解除保持部材３３と、ロック部材３２およびロック解除保持部材３３の間に架け渡されたコイルばね３４とを有している。
【００２０】
カバーボックス３１は前方が開口部１７ｂとほぼ同一形状の矩形開口となっている上下に長いボックスであり、その上端縁および下端縁から上下に直角に折れ曲がって延びているフランジ３１ａ、３１ｂに形成したネジ穴３１ｃ、３１ｄに取り付けた固定ねじ３５、３６によって、背面板部分１７ａに固定されている。このカバーボックス３１の一方の側面板部分３１ｅの内側表面に、ロック部材３２が台間機上下方向にスライド自在の状態で取り付けられている。
【００２１】
ロック部材３２は、側面板部分３１ｅの内側表面に沿って上下方向に延びるＬ形断面のスライド板部分３２ａと、このスライド板部分３２ａの前端縁における上下方向の中程の位置から前方に突出している係合板部分３２ｂと、スライド板部分３２ａの上端から横方に直角に折り曲げられた折り曲げ水平板部分３２ｃとを備えている。折り曲げ水平板部分３２ｃの後端部分はカバーボックス３１の背面板部分３１ｆに形成した開口部３１ｇから背面側に水平に突出している。この突出部分が、ロック部材３２をスライドさせるための手動操作部３２ｄである。
【００２２】
スライド板部分３２ａには、上下方向に長い一対のガイド穴３２ｅ、３２ｆが形成されており、これらのガイド穴には、カバーボックス３１の側面板部分３１ｅに固定したガイドピン３７、３８がそれぞれ摺動自在の状態で差し込まれている。したがって、本例では、ロック部材３２は、図４（ａ）において実線で示す下側のロック位置３２Ａと、想像線で示す上側のロック解除位置３２Ｂとの間をスライド可能である。
【００２３】
ロック部材３２の係合板部分３２ｂはカバーボックス３１から開口部１７ｂを通って前方に突出しており、その垂直な先端面３２ｇの下端には、背面側に向けて下方に僅かな曲率で傾斜している傾斜端面３２ｈ（ロック部材側当接部）が連続しており、この傾斜端面３２ｈの後端には、上方に向けて大きな角度で傾斜した係合端面３２ｉが連続している。
【００２４】
次に、ロック解除保持部材３３は、ロック部材３２をそのロック解除位置３２Ｂに保持するための部材であり、カバーボックス３１の下側水平板部分３１ｈに取り付けられている。このロック解除保持部材３３は下側水平板部分３１ｈの表面に沿って前後方向に延びている水平板部分３３ａと、この水平板部分３３ａにおけるロック部材３２の側の縁から垂直に立ち上がっている垂直側板部分３３ｂとを備えている。水平板部分３３ａは、その後端部分がロック部材３２のスライド板部分３２ａの下端部側方に位置しており、その先端部分が開口部１７ｂから前方に突出している。また、開口部１７ｂよりも前側の位置において、カバーボックス３１の下側水平板部分３１ｈに垂直に固定したピン３９を中心として、左右方向に水平に旋回可能な状態で当該下側水平板部分３１ｈに取り付けられている。
【００２５】
この構成のロック解除保持部材３３は、ロック部材３２がロック位置３２Ａに位置している状態では、図４（ｂ）において実線で示すように、その後端部分の垂直板部分３３ｂがロック部材３２のスライド板部分３２ａの下端部側端面３２ｊに当たる。ロック部材３２が想像線で示すロック解除位置３２Ｂまでスライドすると、図４（ｂ）において想像線で示すように、その下端とカバーボックスの下側水平板部分３１ｈの間に横方から入り込むことが可能である。この状態ではロック部材３２がロック解除保持部材３３に乗り上げた状態になり、ロック解除位置に保持される。本例においては、図４（ｂ）において実線で示す位置３３Ａが退避位置であり、想像線で示す位置３３Ｂがロック解除状態を保持するための保持位置である。なお、ロック解除保持部材３３の水平板部分３３ａの後端部分には、当該部分から垂直に起立している規制板部分３３ｅが形成されている。この規制板部分３３ｅは、垂直板部分３３ｂよりも立ち上がり幅が大きく、退避位置３３Ａに向けて旋回したときに、ロック部材３２の側端面３２ｊに当たることにより、当該退避位置３３Ａでロック解除保持部材３３の旋回が止まるようになっている。
【００２６】
ここで、ロック解除保持部材３３の先端部分にはその水平板部分３３ａにおけるロック部材とは反対側の縁から垂直に立ち上げた垂直側板部分３３ｆが形成されている。この垂直側板部分３３ｆの外側側面には、先端から後方に向けて外側に傾斜した傾斜側面部分３３ｇ（保持部材側当接部）と、この後端に連続して内側に傾斜した傾斜側面部分３３ｈ（保持部材側当接部）とが形成されている。
【００２７】
次に、コイルばね３４は、その上端が、ロック部材３２のスライド板部分３２ａにおける上端部分の前縁から横方向に折れ曲がって延びるばね掛け３２ｋに取り付けられている。コイルばね３４の下端は、ロック解除保持部材３３の水平板部分３３ａの後端部分におけるロック部材３２とは反対側の側縁から垂直に立ち上げたばね掛け３３ｉに取り付けられている。このばね掛け３３ｉは、ロック解除保持部材３３の旋回中心を規定しているピン３９より後側の位置にある。コイルばね３４は引っ張り状態で架け渡されているので、ロック部材３２には下向きの力、すなわち、ロック部材３２をロック位置３２Ａに付勢するばね力が常に作用している。また、ロック解除保持部材３３には、保持位置３３Ｂに向けて当該ロック解除保持部材３３を旋回させるばね力が常に作用している。
【００２８】
一方、台間機本体１５の背面板部分１６ａに形成したロック機構２０の本体側機構４０は、矩形の係合穴４１と、この係合穴４１の下側に形成されたほぼ矩形の係合穴４２とを備えている。上側の係合穴４１の下縁部分４１ａ（第１の台間機本体側当接部）は、図４（ａ）に示すように、ロック部材３２の係合板部分３２ｂの傾斜端面３２ｈに当接可能な高さ位置となるように設定されている。したがって、台間機本体１５を台間機ホルダ１４の側に押し込むと、係合穴４１の下縁部分４１ａによってロック部材３２がばね力に逆らってロック位置３２Ａから上方に押し上げられる。下縁部分４１ａが傾斜端面３２ｈを越えると、これに連続している係合端面３２ｉが上方に括れているので、ロック部材３２がばね力によって下側に押し戻されてロック位置３２Ａに戻り、ロック部材３２と係合穴４１が係合状態になり、台間機本体１５がロックされる。
【００２９】
下側の係合穴４２における側縁４２ａ（第２の台間機本体側当接部）はロック解除保持部材３３の傾斜側面部分３３ｇに当接可能な位置にある。台間機本体１５を押し込むと、側縁４２ａによってロック解除保持部材３３の先端側が横方に押されて、その後端部分がロック部材３２から離れる方向に旋回するようになっている。側縁４２ａが先端側の傾斜側面部分３３ｇを乗り越えると、係合状態が開放されて、ロック解除保持部材３３はばね力によってその保持位置３３Ｂの側に戻ることになる。
【００３０】
（ロック機構の動作説明）
図４〜図１０を参照して、台間機１３のロック機構２０の動作を説明する。図４に示すように、台間機ホルダ１４に対して台間機本体１５を位置決めして台間機ホルダ１４に差し込むと、図５に示すように、ロック部材３２の係合板部分３２ｂが台間機本体１５の側の係合穴４１に差し込まれ、係合板部分３２ｂの傾斜端面３２ｈが係合穴４１の下縁４１ａに当たる。また、ロック解除保持部材３３の先端部分が係合穴４２に差し込まれて、その傾斜側面部分３３ｇが係合穴４２の側縁４２ａに当たる。台間機本体１５を差し込むと、コイルばね３４のばね力に逆らって、ロック部材３２が押し上げられ、ロック解除保持部材３３がロック部材３２から離れる方向に旋回させられる。
【００３１】
台間機本体１５が完全に差し込まれる直前の状態では、図６に示すように、ロック部材３２の傾斜端面３２ｈの後端に係合穴４１の下縁４１ａが位置し、ロック部材３２はそのロック解除位置３２Ｂに向けて押し上げられた状態になる。一方、ロック解除保持部材３３の傾斜側面部分３３ｇを乗り越えた位置に係合穴４２の側縁４２ａが進んでいるので、ロック解除保持部材３３はばね力によってロック部材３２の側に戻り、その後端部分がロック部材３２の側端面３２ｊに押し付けられた状態に戻る。
【００３２】
台間機本体１５が完全に台間機ホルダ１４に差し込まれると、図７に示すように、ロック部材の傾斜端面３２ｈを係合穴４１の下縁４１ａが乗り越えるので、当該下縁４１ａが後側からロック部材３２の係合板部分３２ｂにおける係合端面３２ｉに係合した状態になる。この結果、台間機本体１５が台間機ホルダ１４にロックされた状態が形成される。
【００３３】
次に、ロックを解除して台間機本体１５を引き抜く場合は、図８に示すように、ロック部材３２の手動操作部３２ｄをばね力に逆らって上方に引き上げて、ロック部材３２をロック解除位置３２Ｂまでスライドさせる。この結果、ロック部材３２の係合板部分３２ｂが台間機本体１４の係合穴４１の下縁４１ａから外れてロックが解除される。また、ロック部材３２がロック解除位置３２Ｂまで持ち上げられると、ロック部材３２のスライド板部分３２ａの下端部がロック解除保持部材３３の後端部分から外れて、ロック解除保持部材３３がばね力によってその保持位置３３Ｂまで旋回する。従って、この後にロック部材３２を引き上げている操作力を解除しても、保持位置３３Ｂまで旋回したロック解除保持部材３３にロック部材３２が乗り上げた状態が形成され、ロック部材３２がロック解除位置に保持される。図９にはこのロック解除保持状態を示してある。
【００３４】
この状態では、ロック部材３２から手を離してもロック部材３２がロック解除位置に保持されているので、台間機本体１５を手前に引き出す作業を簡単に行うことができる。台間機本体１５を引き抜く過程では、図１０に示すように、ロック解除保持部材３３の傾斜側面部分３３ｈが引き抜かれる台間機本体１５の係合穴４２の側縁４２ａに当たる。この後は、台間機本体１５の引き抜きに伴って、ロック解除保持部材３３が強制的に保持位置３３Ｂから退避位置３３Ａの側に旋回させられる。この結果、ロック解除保持部材３３の後端部分がロック部材３２の下端部分から横方向に外れ、ロック部材３２がばね力によってそのロック位置３２Ａに戻る。強制的に旋回させられたロック解除保持部材３３は、その傾斜側面部分３３ｈが係合穴４２の側縁４２ａから外れると、ばね力によって保持位置３３Ｂの側に旋回する。この時点では、ロック部材３２がロック位置３２Ａに復帰しているので、ロック解除保持部材３３は、その後端部分がロック部材３２の側端３２ｊに横方から当たった位置（退避位置）で止まる。このようにして、図４の状態になる。
【００３５】
以上説明したように、本例の台間機１３のロック機構２０では、ロック部材３２を上下方向にスライド可能とし、このロック部材３２のスライド範囲内の位置に左右方向に旋回可能な状態でロック解除保持部材３３を配置し、これらロック部材３２とロック解除保持部材３３の間にコイルばね３４を架け渡した構成を採用している。従って、これらの部材を上下方向に配列したレイアウトに比べて、ロック部材３２のスライド範囲内にロック機構２０の構成部品を配置することができる。よって、上下方向の寸法が小さな小型でコンパクトなロック機構を構成できる。
【００３６】
また、ロック部材３２、ロック解除保持部材３３およびコイルばね３４は、カバーボックス３１によって保護された状態にある。従って、台間機のメンテナンス時やパチンコ島の内部に配置されているパチンコ玉供給流路や排出流路のメンテナンス時に、他の部品がロック機構２０の構成部品に当たってこれらに損傷が発生することがない。
【００３７】
なお、本例では、ロック部材３２に形成した手動操作部３２ｄを手で直接操作してロックを解除している。この代わりに、ロック解除操作ワイヤを操作し易い位置まで引き出して、ロック部材３２を操作できるようにしてもよい。例えば、図１１に示すように、上記構成のロック機構２０におけるホルダ側機構３０のカバーボックス３１の背面にガイド部材５１を取り付ける。このガイド部材５１によって上下方向にスライド自在の状態でスライダ５２を保持する。このスライダ５２にロック解除操作ワイヤ５３の一端５３ａを連結する。ロック解除操作ワイヤ５３の他端５３ｂは、パチンコ島の前側から簡単に手の届く場所まで引き出しておく。また、スライダ５２には、ロック部材３２の手動操作部３２ｄに下側から係合可能な係合部５２ａを形成しておく。
【００３８】
この構成のロック機構２０Ａによれば、ロック解除時には、ロック解除操作ワイヤ５３を引くと、スライダ５２が上方に引き上げられる。スライダ５２が引き上げられると、そこに形成されている係合部５２ａが下側からロック部材３２の手動操作部３２ｄに係合し、ロック部材３２を上方に引き上げる。これにより、ロック部材３２がロック解除位置まで持ち上がり、ロック解除状態が形成される。
【図面の簡単な説明】
【００３９】
【図１】パチンコ島の部分正面図である。
【図２】台間機ホルダから台間機本体を所定量だけ引き出した状態の台間機を示す側面図および背面図である。
【図３】図１の台間機に設けられているロック機構を示す斜視図である。
【図４】図３のロック機構を示す縦断面図、横断面図および矢印ｃの方向から見た場合の矢視図である。
【図５】台間機ホルダに対して台間機本体が所定量だけ差し込まれた状態におけるロック機構の各部分の状態を示す縦断面図および横断面図である。
【図６】台間機本体を台間機ホルダに完全に差し込む直前におけるロック機構の各部分の状態を示す縦断面図および横断面図である。
【図７】台間機本体が台間機ホルダにロックされた状態を示す縦断面図および横断面図である。
【図８】ロックが解除された直後のロック機構の各部分の状態を示す縦断面図および横断面図である。
【図９】ロック解除保持状態のロック機構の各部分の状態を示す縦断面図および横断面図である。
【図１０】ロック解除保持状態から台間機本体を所定量だけ引き抜いたときのロック機構の各部分の状態を示す縦断面図および横断面図である。
【図１１】ロック機構の変形例を示す縦断面図および横断面図である。
【符号の説明】
【００４０】
１３  台間機
１４  台間機ホルダ
１５  台間機本体
２０、２０Ａ  ロック機構
３１  カバーボックス
３２  ロック部材
３２Ａ  ロック位置
３２Ｂ  ロック解除位置
３２ａ  スライド板部分
３２ｂ  係合板部分
３２ｃ  水平板部分
３２ｄ  手動操作部
３２ｅ、３２ｆ  ガイド穴
３２ｈ  傾斜端面
３２ｉ  係合端面
３３  ロック解除保持部材
３３Ａ  退避位置
３３Ｂ  保持位置
３３ａ  水平板部分
３３ｂ  垂直側板部分
３３ｇ、３３ｈ  傾斜側板部分
３４  コイルばね
４１、４２  係合穴
４１ａ  下縁
４２ａ  側縁
５３  ロック解除操作ワイヤ
【図１】
2005110958.tif 000003
【図２】
2005110958.tif 000004
【図３】
2005110958.tif 000005
【図４】
2005110958.tif 000006
【図５】
2005110958.tif 000007
【図６】
2005110958.tif 000008
【図７】
2005110958.tif 000009
【図８】
2005110958.tif 000010
【図９】
2005110958.tif 000011
【図１０】
2005110958.tif 000012
【図１１】
2005110958.tif 000013